(57)【要約】【課題】ＣＭＹ用トランスの負担を軽減し、コストを低減し、サイズを縮小する。【解決手段】  第１の直流電圧出力手段と、第１の交流電圧出力手段とを有し、第１の直流電圧出力手段から出力される直流電圧に、第１の交流電圧出力手段から出力される交流電圧を重畳させた第１のバイアス電圧を出力する第１のバイアス電圧出力手段と、複数の第２の直流電圧出力手段と、第２の交流電圧出力手段とを有し、複数の第２の直流電圧出力手段から出力される複数の直流電圧の各直流電圧に、第２の交流電圧出力手段から出力される交流電圧を重畳させた複数の第２のバイアス電圧を出力する第２のバイアス電圧出力手段と、第１の交流電圧出力手段と第２の交流電圧出力手段とを接続する容量手段と、を備えた電源回路。【選択図】図１
2017003718.tif 000002
【特許請求の範囲】
【請求項１】
少なくとも１つの第１の直流電圧出力手段と、第１の交流電圧出力手段とを有し、前記少なくとも１つの第１の直流電圧出力手段から出力される直流電圧に、前記第１の交流電圧出力手段から出力される交流電圧を重畳させた少なくとも１つの第１のバイアス電圧を出力する少なくとも１つの第１のバイアス電圧出力手段と、
複数の第２の直流電圧出力手段と、第２の交流電圧出力手段とを有し、前記複数の第２の直流電圧出力手段から出力される複数の直流電圧の各直流電圧に、前記第２の交流電圧出力手段から出力される交流電圧を重畳させた複数の第２のバイアス電圧を出力する第２のバイアス電圧出力手段と、
前記第１の交流電圧出力手段と前記第２の交流電圧出力手段とを接続する容量手段と、
を備えたことを特徴とする電源回路。
【請求項２】
前記第１の交流電圧出力手段又は前記第２の交流電圧出力手段と前記容量手段との間にスイッチを備えたことを特徴とする請求項１に記載の電源回路。
【請求項３】
前記電源回路は、カラー印刷とモノクロ印刷との双方に対応した画像形成装置に備えられ、
前記スイッチは、カラー印刷時にオンとなり、モノクロ印刷時にオフとなることを特徴とする請求項２に記載の電源回路。
【請求項４】
電源回路と、
前記電源回路から出力される少なくとも１つの第１のバイアス電圧が印加される少なくとも１つの第１の現像手段と、
前記電源回路から出力される複数の第２のバイアス電圧がそれぞれ印加される複数の第２の現像手段と、
前記少なくとも１つの第１のバイアス電圧の印加により前記少なくとも１つの第１の現像手段からトナーが付与されて、静電潜像が顕像化される少なくとも１つの第１の感光体ドラムと、
前記複数の第２のバイアス電圧のそれぞれの印加により前記複数の第２の現像手段からそれぞれトナーが付与されて、それぞれ静電潜像が顕像化される複数の第２の感光体ドラムと、を備え、
前記電源回路は、
少なくとも１つの第１の直流電圧出力手段と、第１の交流電圧出力手段とを有し、前記少なくとも１つの第１の直流電圧出力手段から出力される直流電圧に、前記第１の交流電圧出力手段から出力される交流電圧を重畳させた少なくとも１つの第１のバイアス電圧を出力する少なくとも１つの第１のバイアス電圧出力手段と、
複数の第２の直流電圧出力手段と、第２の交流電圧出力手段とを有し、前記複数の第２の直流電圧出力手段から出力される複数の直流電圧の各直流電圧に、前記第２の交流電圧出力手段から出力される交流電圧を重畳させた複数の第２のバイアス電圧を出力する第２のバイアス電圧出力手段と、
前記第１の交流電圧出力手段と前記第２の交流電圧出力手段とを接続する容量手段と、
を備えた画像形成装置。
【請求項５】
前記少なくとも１つの第１の感光体ドラムは黒用の感光体ドラムであり、前記少なくとも１つの第１の現像手段は前記第１の感光体ドラムに黒用トナーを付与する黒用の現像手段であり、
前記複数の第２の感光体ドラムはシアン用の感光体ドラム、マゼンタ用の感光体ドラム、及びイエロー用の感光体ドラムであり、前記複数の第２の現像手段は前記シアン用の感光体ドラム、前記マゼンタ用の感光体ドラム、及び前記イエロー用の感光体ドラムに、それぞれシアン用トナー、マゼンタ用トナー、及びイエロー用トナーを付与するシアン用、マゼンタ用、及びイエロー用の３つの現像手段であることを特徴とする請求項４に記載の画像形成装置。
【請求項６】
前記第１の交流電圧出力手段又は前記第２の交流電圧出力手段と前記容量手段との間にスイッチを備え、
前記スイッチは、カラー印刷時にオンとなり、モノクロ印刷時にオフとなることを特徴とする請求項５に記載の画像形成装置。
【請求項７】
前記少なくとも１つの第１の感光体ドラムは、黒用の感光体ドラムと、シアン用の感光体ドラム、マゼンタ用の感光体ドラム、及びイエロー用の感光体ドラムのうちのいずれか１つの感光体ドラムとであり、
前記第１の現像手段は、前記黒用の感光体ドラムに黒用トナーを付与する黒用の現像手段と、前記いずれか１つの感光体ドラムに、前記いずれか１つの感光体ドラムに対応する、シアン用トナー、マゼンタ用トナー、及びイエロー用トナーのうちのいずれか１つのトナーを付与する現像手段とであり、
前記複数の第２の感光体ドラムは前記シアン用の感光体ドラム、前記マゼンタ用の感光体ドラム、及び前記イエロー用の感光体ドラムのうちの残りの２つの感光体ドラムであり、
前記複数の第２の現像手段は前記２つの感光体ドラムに、前記２つの感光体ドラムに対応する、前記シアン用トナー、前記マゼンタ用トナー、及び前記イエロー用トナーのうちの残りの２つのトナーをそれぞれ付与する２つの現像手段であることを特徴とする請求項４に記載の画像形成装置。
【請求項８】
前記少なくとも１つの第１の感光体ドラムと前記複数の第２の感光体ドラムとをそれぞれ帯電させるための複数の帯電手段と、
前記複数の帯電手段によって帯電した、少なくとも１つの第１の感光体ドラムと前記複数の第２の感光体ドラムとを露光してそれぞれ静電潜像を形成するための露光手段と、
前記少なくとも１つの第１の感光体ドラムと前記複数の第２の感光体ドラムに顕像化された画像を中間転写ベルト又は記録媒体に転写するための転写手段と、
をさらに備えたことを特徴とする、請求項４から請求項７のいずれか１項に記載の画像形成装置。
【請求項９】
請求項４から８のいずれか１項に記載の画像形成装置の現像バイアス電圧印加方法であって、
前記第２の交流電圧出力手段の供給電力が低下したときに、前記第１の交流電圧出力手段から電力を供給する、現像バイアス電圧印加方法。
【発明の詳細な説明】
【技術分野】
【０００１】
本発明は電源回路、それを用いた画像形成装置及び画像形成装置の現像バイアス電圧印加方法に関し、特に、静電潜像が形成された感光体ドラムにトナーを付与して静電画像を顕像化させる現像手段に現像バイアス電圧を印加する電源回路、それを用いた画像形成装置及び画像形成装置の現像バイアス電圧印加方法に関する。
【背景技術】
【０００２】
複写機、プリンタ、ファクシミリ及びこれらを組み合わせた複合機等の画像形成装置には、表面にトナー層が形成された現像ローラに、直流電圧（ＤＣ電圧）に交流電圧（ＡＣ電圧）を重畳した現像バイアス電圧を印加することで、トナー層のトナーを感光体ドラム表面へ飛翔させる画像形成装置がある。このような画像形成装置の電源回路として、特許文献１には、現像バイアス電圧を生成する電源回路のＡＣ電圧生成のために、黒（Ｋ）のＡＣ出力用のトランスと、シアン（Ｃ）、マゼンタ（Ｍ）、及びイエロー（Ｙ）のＡＣ出力用のトランスとを設け、黒以外の色（シアン、マゼンダ及びイエロー）のＡＣ出力用のトランスを共通にして電圧印加手段の部品数を削減した電源回路が記載されている。
【先行技術文献】
【特許文献】
【０００３】
【特許文献１】特開２０１２−２５２１７３号公報
【発明の概要】
【発明が解決しようとする課題】
【０００４】
しかしながら、特許文献１に記載された電源回路においては、黒のＡＣ出力用のトランスの負荷に対して、シアン、マゼンダ及びイエローのＡＣ出力用のトランスの負荷はほぼ３倍となるために、出力電流値の変動に対応させてシアン、マゼンダ及びイエローのＡＣ出力用のトランスをスペックアップすることが必要となるために、コストが増大し、サイズが大きくなる課題があった。
【０００５】
本発明の目的は、シアン、マゼンダ及びイエローのＡＣ出力用のトランスの負担を軽減し、コストを低減し、サイズを縮小することができる電源回路、それを用いた画像形成装置及び画像形成装置の現像バイアス電圧印加方法を提供することにある。
【課題を解決するための手段】
【０００６】
本発明の電源回路は、少なくとも１つの第１の直流電圧出力手段と、第１の交流電圧出力手段とを有し、前記少なくとも１つの第１の直流電圧出力手段から出力される直流電圧に、前記第１の交流電圧出力手段から出力される交流電圧を重畳させた少なくとも１つの第１のバイアス電圧を出力する少なくとも１つの第１のバイアス電圧出力手段と、
複数の第２の直流電圧出力手段と、第２の交流電圧出力手段とを有し、前記複数の第２の直流電圧出力手段から出力される複数の直流電圧の各直流電圧に、前記第２の交流電圧出力手段から出力される交流電圧を重畳させた複数の第２のバイアス電圧を出力する第２のバイアス電圧出力手段と、
前記第１の交流電圧出力手段と前記第２の交流電圧出力手段とを接続する容量手段と、
を備えたことを特徴とする電源回路である。
【０００７】
本発明の画像形成装置は、電源回路と、
前記電源回路から出力される少なくとも１つの第１のバイアス電圧が印加される少なくとも１つの第１の現像手段と、
前記電源回路から出力される複数の第２のバイアス電圧がそれぞれ印加される複数の第２の現像手段と、
前記少なくとも１つの第１のバイアス電圧の印加により前記少なくとも１つの第１の現像手段からトナーが付与されて、静電潜像が顕像化される少なくとも１つの第１の感光体ドラムと、
前記複数の第２のバイアス電圧のそれぞれの印加により前記複数の第２の現像手段からそれぞれトナーが付与されて、それぞれ静電潜像が顕像化される複数の第２の感光体ドラムと、を備え、
前記電源回路は、
少なくとも１つの第１の直流電圧出力手段と、第１の交流電圧出力手段とを有し、前記少なくとも１つの第１の直流電圧出力手段から出力される直流電圧に、前記第１の交流電圧出力手段から出力される交流電圧を重畳させた少なくとも１つの第１のバイアス電圧を出力する少なくとも１つの第１のバイアス電圧出力手段と、
複数の第２の直流電圧出力手段と、第２の交流電圧出力手段とを有し、前記複数の第２の直流電圧出力手段から出力される複数の直流電圧の各直流電圧に、前記第２の交流電圧出力手段から出力される交流電圧を重畳させた複数の第２のバイアス電圧を出力する第２のバイアス電圧出力手段と、
前記第１の交流電圧出力手段と前記第２の交流電圧出力手段とを接続する容量手段と、
を備えた画像形成装置である。
【０００８】
本発明の画像形成装置の現像バイアス電圧印加方法は、上記本発明の画像形成装置の現像バイアス電圧印加方法であって、
前記第２の交流電圧出力手段の供給電力が低下したときに、前記第１の交流電圧出力手段から電力を供給する、現像バイアス電圧印加方法である。
【発明の効果】
【０００９】
本発明によれば、第１の交流電圧出力手段から容量手段を介して電力を供給することで第２の交流電圧出力手段の負担を軽減し、これにより第２の交流電圧出力手段を構成するトランスのスペックアップの必要性をなくすことで、コストの低減と、トランスのサイズの縮小を実現することができる。
【図面の簡単な説明】
【００１０】
【図１】本発明の第１の実施形態の電源回路を示す回路図である。
【図２】黒用トランスとシアン（Ｃ）、マゼンタ（Ｍ）、及びイエロー（Ｙ）用トランスとの出力ＡＣ波形を同期させるための、交流電圧出力手段の回路構成を示す回路図である。
【図３】本実施形態の画像形成装置の感光体ドラム、現像装置、電源回路の配置を示す構成図である。
【図４】本発明の一実施形態に係るプリンタを模式的に示す断面図である。
【図５】プリンタの構成を示すブロック図である。
【図６】本発明の第２の実施形態の電源回路を示す回路図である。
【図７】本発明の第３の実施形態の電源回路を示す回路図である。
【発明を実施するための形態】
【００１１】
以下、本発明の実施形態について図面を用いて詳細に説明する。
（実施形態１）
図１は本発明の第１の実施形態の電源回路を示す回路図である。
【００１２】
図１に示す電源回路において、黒（Ｋ）用のＤＣ電圧出力部１から抵抗Ｒ１を介して出力される直流電圧に、黒（Ｋ）用のＡＣ電圧出力部５から出力される交流電圧が、抵抗Ｒ５とコンデンサＣ１を介して重畳され、黒用現像バイアス電圧として黒用の現像ローラに出力される。
【００１３】
また、シアン（Ｃ）用のＤＣ電圧出力部２から抵抗Ｒ２を介して出力される直流電圧、マゼンタ（Ｍ）用のＤＣ電圧出力部３から抵抗Ｒ３を介して出力される直流電圧、及びイエロー（Ｙ）用のＤＣ電圧出力部４から抵抗Ｒ４を介して出力される直流電圧に、シアン（Ｃ）、マゼンタ（Ｍ）、及びイエロー（Ｙ）用のＡＣ電圧出力部６から出力される交流電圧が、それぞれ抵抗Ｒ６とコンデンサＣ２、抵抗Ｒ７とコンデンサＣ３、抵抗Ｒ８とコンデンサＣ４を介して重畳され、シアン用現像バイアス電圧、マゼンタ用現像バイアス電圧、及びイエロー用現像バイアス電圧として、シアン、マゼンタ、及びイエロー用の各現像ローラに出力される。
【００１４】
図２は黒用のＡＣ電圧出力部５及びシアン、マゼンタ、及びイエロー用のＡＣ電圧出力部６の一例を示す図である。黒用のＡＣ電圧出力部５はＤＣ電源１０−１、トランス１１−１、トランジスタ１２−１、信号源７から構成される。シアン、マゼンタ、及びイエロー用のＡＣ電圧出力部６はＤＣ電源１０、トランス１１−２、トランジスタ１２−２、信号源７から構成される。なお図２では、黒用ＡＣ電圧出力部５とシアン、マゼンタ、及びイエロー用ＡＣ電圧出力部６とは出力ＡＣ波形を同期させるために同じ信号源７を用いているが、カラー印刷時に、ＡＣ電圧出力部６の出力電圧値が黒用のＡＣ電圧出力部５の出力電圧値より低くなったときに、黒用のトランス５から十分な電力を供給することができれば、別々な信号源を用いてもよい。
【００１５】
なお、黒用のＤＣ電圧出力部１は第１の直流電圧出力手段に対応し、黒用のＡＣ電圧出力部５は第１の交流電圧出力手段に対応し、黒用のＤＣ電圧出力部１、黒用のＡＣ電圧出力部５、抵抗Ｒ１とＲ５及びコンデンサＣ１は第１のバイアス電圧出力手段に対応する。また、シアン用のＤＣ電圧出力部２、マゼンタ用のＤＣ電圧出力部３及びイエロー用のＤＣ電圧出力部４は複数の第２の直流電圧出力手段に対応し、シアン、マゼンタ、及びイエロー用のＡＣ電圧出力部６は第２の交流電圧出力手段に対応し、シアン用のＤＣ電圧出力部２、マゼンタ用のＤＣ電圧出力部３及びイエロー用のＤＣ電圧出力部４と、シアン、マゼンタ、及びイエロー用のＡＣ電圧出力部６と、抵抗Ｒ２〜Ｒ４，Ｒ６〜Ｒ８と、コンデンサＣ２〜Ｃ４とは第２のバイアス電圧出力手段に対応する。
【００１６】
黒用のＡＣ電圧出力部５と、シアン、マゼンタ、及びイエロー用のＡＣ電圧出力部６とが、抵抗Ｒ５、コンデンサＣ１、抵抗Ｒ９、容量手段となるコンデンサＣ５、及び抵抗Ｒ１０を介して接続されており、カラー印刷時に、ＡＣ電圧出力部６の出力電圧値が黒用のＡＣ電圧出力部５の出力電圧値より低くなって、コンデンサＣ５の両端に電圧差が生じたときに黒用のＡＣ電圧出力部５からＡＣ電圧出力部６へ向かって電力が供給される。コンデンサＣ５の両端が同電位の場合には電力が供給は行われない。
【００１７】
黒用のＡＣ電圧出力部５とシアン、マゼンタ、及びイエロー用のＡＣ電圧出力部６との間に抵抗Ｒ９、容量手段となるコンデンサＣ５、及び抵抗Ｒ１０を設けず、ＡＣ電圧出力部５とＡＣ電圧出力部６とを電気的に接続しない場合には、シアン、マゼンタ、及びイエローの印刷領域が広い等のためにシアン、マゼンタ、及びイエロー用の各現像ローラへの出力電流が大きくなったときに、シアン、マゼンタ、及びイエロー用のＡＣ電圧出力部６のトランスをスペックアップしないと、トランスの電力（電圧×電流）に上限があるためにシアン、マゼンタ、及びイエロー用のＡＣ電圧出力部６の出力電圧が低下することになる。本実施形態では、黒用のＡＣ電圧出力部５から電力が供給されるために、シアン、マゼンタ、及びイエロー用のＡＣ電圧出力部６の出力電圧の低下を抑えることができる。
【００１８】
コンデンサＣ５の容量値は、シアン、マゼンタ、及びイエロー用に電流が流れすぎないように、コンデンサＣ１〜Ｃ４の容量値に対して小さくすることが望ましい。コンデンサＣ５の容量値は、黒用のＡＣ電圧出力部５のスペックアップが不要で、シアン、マゼンタ、及びイエローのＡＣ出力への電力供給が十分行える範囲で適宜設定されるが、コンデンサＣ１〜Ｃ４の容量値の１／２〜１／１０の範囲で設定することが望ましい。抵抗Ｒ１〜Ｒ１０は各現像ローラに供給される電流を制限するために設けられる。
【００１９】
なお、黒用のＡＣ電圧出力部５から電力を供給してシアン、マゼンタ、及びイエロー用のＡＣ電圧出力部６の出力電圧の低下を効率良く抑えるために、黒用ＡＣ電圧出力部５とシアン、マゼンタ、及びイエロー用ＡＣ電圧出力部６とは出力ＡＣ波形を同期させることが望ましく、そのために、図２に示すように、入力する信号の周期を同じにするために同一の信号源７で駆動回路（トランジスタ）を動作させている。
【００２０】
モノクロ印刷時にはシアン、マゼンタ、及びイエロー用の感光ドラムの帯電はオフにななっているのでシアン、マゼンタ、及びイエロー用の現像ローラから各感光ドラムへのシアン、マゼンタ、及びイエロー用のトナーの移動を抑えるために、シアン、マゼンタ、及びイエロー用のＤＣ電圧を負電圧から正電圧にすることでシアン、マゼンタ、及びイエローの各現像ローラから各感光体ドラムへのシアン、マゼンタ、及びイエロー用のトナーの移動を抑制することが好ましい。ＤＣ電圧を負電圧、正電圧間で切り替えるためには、ＤＣ電圧出力部１〜４のそれぞれを、正電圧出力用のＤＣ電源、負電圧出力用のＤＣ電源、これらのＤＣ電源のいずれかに切り替えるスイッチで構成すればよい。トナーは負電荷であるために各現像ローラから感光体ドラムへのトナーの移動を抑制することができる。この場合、シアン、マゼンタ、及びイエロー用の各現像ローラへの出力電流の増大による、ＡＣ電圧出力部６の出力電圧が低下することはなく、黒用のＡＣ電圧出力部５からＡＣ電圧出力部６へと電力が供給されない。
【００２１】
次に、上記本実施形態の電源回路を用いた画像形成装置について説明する。
【００２２】
図３は本実施形態の画像形成装置の感光体ドラム、現像装置、電源回路の配置を示す構成図である。本実施形態の画像形成装置はカラー印刷とモノクロ印刷との双方に対応した画像形成装置であり、黒、シアン、マゼンダ及びイエロー用の感光体ドラムと現像装置、及び現像装置にＤＣ電圧にＡＣ電圧が重畳された現像バイアス電圧を黒、シアン、マゼンダ及びイエローごとに出力する図１に示した電源回路を備えている。ここでは、シアン用の感光体ドラム、現像装置、電源回路を示しているが、黒、マゼンダ、イエローについても同様な構成となっている。図３においては、シアン（Ｃ）用の現像装置１００２、現像装置１００２内のシアン用の現像ローラ１００３（現像手段となる）、シアン用の感光体ドラム１００４、シアン用の現像ローラ１００３に、ＤＣ電圧にＡＣ電圧が重畳された現像バイアス電圧を印加する電源部１００１が示されている。電源部１００１は黒用の現像バイアス電圧とシアン、マゼンダ、イエロー用の各現像バイアス電圧とを出力する電源回路であり、図１に示した電源回路が対応する。図３ではシアン用のＤＣ電圧にシアン用のＡＣ電圧が重畳されたシアン用現像バイアス電圧が、シアン用の現像ローラ１００３に出力される様子が示されている。表面にトナー層が形成されたシアン用の現像ローラ１００３に、ＤＣ電圧にＡＣ電圧を重畳した現像バイアス電圧を印加することで、トナー層のトナーを感光体ドラム１００４の表面へ飛翔させる。
【００２３】
次に、本発明の実施形態に係る画像形成装置の全体構成について説明する。本実施形態に係る画像形成装置は、複写機、プリンタ、ファクシミリ及びこれらを組み合わせた複合機等であり、以下の実施形態においては、画像形成装置の一例として、電子写真方式のレーザビームプリンタ（以下、単に「プリンタ」という）を用いて説明する。
【００２４】
まず、プリンタ１００の概略構成について、図４を参照しながら説明する。図４は、本発明の一実施形態に係るプリンタ１００を模式的に示す断面図である。本プリンタはカラー印刷とモノクロ印刷との双方に対応している。
【００２５】
図４に示すように、プリンタ１００は、記録媒体となるシートを給送するシート給送部１０と、シートを手差し給送可能な手差し給送部２０と、シート給送部１０又は手差し給送部２０により給送されたシートに画像を形成する画像形成部３０と、画像が形成されたシートを装置外に排出するシート排出部４０と、これらを制御する制御部５０と、を備えている。
【００２６】
シート給送部１０は、シートを積載収容する給送シート積載部１１と、給送シート積載部１１に積載されたシートを１枚ずつ分離給送する分離給送部１２と、を備えている。給送シート積載部１１は、回動軸１３を中心に回動する中板１４を備えており、中板１４は、シートを給送する際に回動してシートを上方に持ち上げる（図４に示す２点鎖線の状態）。分離給送部１２は、中板１４に持ち上げられたシートを給送するピックアップローラ１５と、ピックアップローラ１５に圧接する分離バッド１６と、を備えている。
【００２７】
手差し給送部２０は、シートを積載可能な手差しトレイ２１と、手差しトレイ２１に積載されたシートを１枚ずつ分離しながら給送可能な分離給送部２２と、を備えている。手差しトレイ２１は、プリンタ筐体１０１に回動自在に支持されており、手差し給送する際には、回動させることでシートを積載可能になる（図４に示す２点鎖線の状態）。分離給送部２２は、手差しトレイ２１に積載されたシートを給送する給送ローラ２３と、給送ローラ２３に圧接する分離パッド２４と、を備えている。
【００２８】
画像形成部３０は、イエロー（Ｙ）、マゼンタ（Ｍ）、シアン（Ｃ）、ブラック（Ｋ）の画像を形成する４つのプロセスカートリッジ（画像形成ユニット）３１Ｙ〜３１Ｋと、後述する感光体ドラム３１０Ｙ〜３１０Ｋの表面を露光する露光装置３２と、感光体ドラム３１０Ｙ〜３１０Ｋの表面に形成されたトナー像をシートに転写する転写部３３と、シートに転写された未定着トナー像を定着させる定着部３４と、を備えている。露光装置３２は露光手段、転写部３３は転写手段に対応する。
【００２９】
４つのプロセスカートリッジ３１Ｙ〜３１Ｋのそれぞれは、プリンタ筐体１０１から着脱可能に構成されており、交換可能となっている。なお、４つのプロセスカートリッジ３１Ｙ〜３１Ｋは、形成する画像の色が異なること以外は同じ構成であるため、ここでは、イエロー（Ｙ）の画像を形成するプロセスカートリッジ３１Ｙの構成を説明することで、マゼンダ（Ｍ）、シアン（Ｃ）、ブラック（Ｋ）の画像を形成するプロセスカートリッジ３１Ｍ、３１Ｃ、３１Ｋの説明は省略する。
【００３０】
プロセスカートリッジ３１Ｙは、トナー像が形成される像担持体としての感光体ドラム３１０Ｙと、感光体ドラム３１０Ｙを帯電させる帯電装置３１１Ｙと、感光体ドラム３１０Ｙ上に形成された静電潜像をＹ用トナーで現像する現像装置３１２Ｙと、感光体ドラム３１０Ｙの表面に残留するＹ用トナーを除去するクリーナユニット３１３Ｙと、を備えている。
【００３１】
現像装置３１２Ｙは、静電潜像をＹ用トナーで現像する現像装置本体３１４Ｙ（現像手段となる現像ローラを含む）と、現像装置本体３１４Ｙにイエロー用トナーを供給するトナーカートリッジ３１５Ｙと、を備えている。トナーカートリッジ３１５Ｙは、現像装置本体３１４Ｙに着脱自在に構成されており、収容されたＹ用トナーが無くなると、現像装置本体３１４Ｙから取り外して、交換可能になっている。図１に示した電源回路は図４においては不図示である。現像装置本体３１４Ｙ、３１４Ｍ、３１４Ｃ、３１４Ｋはそれぞれ現像手段となる現像ローラを含んでおり、各現像ローラには電源回路からＤＣ電圧にＡＣ電圧が重畳された現像バイアス電圧が印加される。
【００３２】
露光装置３２は、レーザ光を照射する光源３２０と、レーザ光を感光体ドラム３１０Ｙ〜３１０Ｋに導く複数のミラー３２１等を備えている。
【００３３】
転写部３３は、感光体ドラム３１０Ｙ〜３１０Ｋに形成されたトナー像を担持する中間転写ベルト３３０と、感光体ドラム３１０Ｙ〜３１０Ｋに形成されたトナー像を中間転写ベルト３３０に一次転写する一次転写ローラ３３１Ｙ〜３３１Ｋと、中間転写ベルト３３０が担持するトナー像をシートに二次転写する二次転写ローラ３３２と、中間転写ベルト３３０に残留するトナーを除去するクリーナユニット３３３と、を備えている。中間転写ベルト３３０は、駆動ローラ３３４及び従動ローラ３３５に掛け渡されており、一次転写ローラ３３１Ｙ〜３３１Ｋによって、感光体ドラム３１０Ｙ〜３１０Ｋに押し付けられている。二次転写ローラ３３２は、駆動ローラ３３４とで中間転写ベルト３３０をニップ（挟持）しており、ニップ部Ｎで中間転写ベルト３３０が担持するトナー像をシートに転写する。
【００３４】
定着部３４は、シートを加熱する加熱ローラ３４０と、加熱ローラ３４０に圧接する加圧ローラ３４１と、を備えている。シート排出部４０は、排出ローラ対４１を備えて構成されており、排出ローラ対４１は、正逆回転可能な排出ローラ４２と、排出ローラ４２に従動回転する従動ローラ４３と、を備えている。
【００３５】
図５に示すように、制御部５０は、シート給送部１０、手差し給送部２０、画像形成部３０及びシート排出部４０を駆動制御するＣＰＵ５１と、各種プログラムや各種情報等を記憶するメモリ５２と、を備えている。制御部５０は、これらを用いてシート給送部１０、手差し給送部２０、画像形成部３０及びシート排出部４０の動作を統合して制御し、例えば、操作パネル１０２の操作部１０４から入力されたユーザ指令に基づいて、シートに画像を形成させる。
【００３６】
次に、上述のように構成されたプリンタ１００の画像形成動作（制御部５０による画像形成制御）について説明する。本実施形態においては、外部ＰＣから入力された画像情報に基づいて、給送シート積載部１１に積載された記録媒体となるシートに画像を形成する画像形成動作を用いて説明する。
【００３７】
外部ＰＣからプリンタ１００に画像情報が入力されると、入力された画像情報に基づいて、露光装置３２が感光体ドラム３１０Ｙ〜３１０Ｋに向けてレーザ光を照射する。このとき感光体ドラム３１０Ｙ〜３１０Ｋは、帯電装置３１１Ｙ〜３１１Ｋにより予め帯電されており、レーザ光が照射されることで感光体ドラム３１０Ｙ〜３１０Ｋ上に静電潜像が形成される。
【００３８】
その後、現像装置３１２Ｙ〜３１２Ｋにより静電潜像が現像され、感光体ドラム３１０Ｙ〜３１０Ｋ上に、イエロー（Ｙ）、マゼンタ（Ｍ）、シアン（Ｃ）及びブラック（Ｋ）のトナー像が形成される。感光体ドラム３１０Ｙ〜３１０Ｋ上に形成された各色のトナー像は、一次転写ローラ３３１Ｙ〜３３１Ｋにより、矢印Ａ方向に回転する中間転写ベルト３３０に順次転写され、転写されたトナー像は、中間転写ベルト３３０により二次転写ローラ３３２まで搬送される。
【００３９】
上述の画像形成動作に並行して、給送シート積載部１１に積載されたシートが、分離給送部１２により１枚ずつシート搬送路１０５に給送される。そして、シート搬送路１０５の下流にあるレジストローラ対１０６で、斜行が補正されると共に所定の搬送タイミングでニップ部Ｎに搬送され、ニップ部Ｎで中間転写ベルト３３０上のトナー像が転写される。トナー像が転写されたシートは、定着部３４でトナー像が溶融定着され、排出ローラ対４１により装置外に排出される。装置外に排出されたシートは、プリンタ筐体１０１の上面に設けられた排出シート積載部１０７に積載される。
【００４０】
なお、シートの両面（第１面及び第２面）に画像を形成する場合には、第１面（表面）に画像が形成されたシートが排出シート積載部１０７に排出される前に、排出ローラ４２を逆回転させて両面搬送路１０８に搬送し、両面搬送路１０８を介して画像形成部３０に再搬送する。そして、第１面と同様に、第２面（裏面）に画像を形成し、装置外に排出する。
（実施形態２）
図６は本発明の第２の実施形態の電源回路を示す回路図である。本実施形態の電源回路を用いた画像形成装置の構成は図３〜図５を用いて説明した画像形成装置と同一なので説明を省略する。
【００４１】
図１を用いて既に説明したように、カラー印刷時に、シアン、マゼンダ、イエロー用のＡＣ電圧出力部６の出力電圧値が黒用のＡＣ電圧出力部５の出力電圧値より低くなって、コンデンサＣ５の両端に電圧差が生じたときに、黒用のＡＣ電圧出力部５から、抵抗Ｒ５、コンデンサＣ１、抵抗Ｒ９、コンデンサＣ５、及び抵抗Ｒ１０を介して電力が供給される。黒のＡＣ出力用のトランスの負荷はシアン、マゼンダ及びイエローのＡＣ出力用のトランスの負荷の１／３なので、出力電流増大によるＡＣ電圧出力部５の出力電圧値低下の可能性が低く、ＡＣ電圧出力部６から電力供給を受ける必要性が低い。かえってコンデンサＣ５等を介してＡＣ電圧出力部６の出力の変動の影響を受ける可能性がある。そこで、本実施形態では、モノクロ印刷（白黒印刷）時には図６に示す電源回路において、抵抗Ｒ９とコンデンサＣ５との間に、トランジスタ等のスイッチ８を設けて、モノクロ印刷時にスイッチ８をオフにしている。
【００４２】
なお、ここでは、抵抗Ｒ９とコンデンサＣ５との間にスイッチ８を設けたが、抵抗Ｒ１０とコンデンサＣ５との間にスイッチ８を設けてもよい。
（実施形態３）
図７は本発明の本発明の第３の実施形態の電源回路を示す回路図である。本実施形態の電源回路を用いた画像形成装置の構成は図３〜図５を用いて説明した画像形成装置と同一なので説明を省略する。
【００４３】
図１に示した電源回路では、電源回路のＡＣ電圧出力部を黒用のＡＣ電圧出力部５とシアン、マゼンダ、イエロー用のＡＣ電圧出力部６とに分けており、黒用のＡＣ電圧出力部５とシアン、マゼンダ、イエロー用のＡＣ電圧出力部６とではトランスの負荷が異なるために同じスペック（仕様）のトランスを用いることができず、別々にトランスを設計する必要がある。本実施形態では、電源回路のＡＣ電圧出力部を黒、シアン用のＡＣ電圧出力部９−１とマゼンダ、イエロー用のＡＣ電圧出力部９−２とに分け、トランスの負荷をほぼ同じにしたために、同じスペックのトランスを用いることができる。
【００４４】
黒及びシアン用のＡＣ電圧出力部９−１と、マゼンタ及びイエロー用のＡＣ電圧出力部９−２とが、抵抗Ｒ５、コンデンサＣ１、抵抗Ｒ９、容量手段となるコンデンサＣ５、及び抵抗Ｒ１０を介して接続されている。また、黒及びシアン用のＡＣ電圧出力部９−１と、マゼンタ及びイエロー用のＡＣ電圧出力部９−２とが、抵抗Ｒ６、コンデンサＣ２、抵抗Ｒ１１、容量手段となるコンデンサＣ５、及び抵抗Ｒ１０を介して接続されている。
【００４５】
以上、本発明の代表的な実施形態について説明したが、本発明は特開２０１２−２５２１７３号に開示されたような現像ローラと磁気ローラにそれぞれ直流電圧に交流電圧を重畳させたバイアス電圧を印加する電源回路及び画像形成装置にも適用することができる。この場合、現像ローラにバイアス電圧を印加する電源回路部と同様に、磁気ローラにバイアス電圧を印加する電源回路部においても、黒用のＡＣ電源から２つの抵抗とコンデンサを介してシアン、マゼンダ、イエロー用のＡＣ電圧出力部に接続し、電力を供給できるようにすればよい。
【００４６】
また、本発明の電源回路は画像形成装置の電源回路に限定されず、直流電圧に交流電圧を重畳させたバイアス電圧を用いる装置であれば好適に用いることができる。
【産業上の利用可能性】
【００４７】
本発明の電源回路、画像形成装置及び画像形成装置の現像バイアス電圧印加方法は、複写機、プリンタ、ファクシミリ及びこれらを組み合わせた複合機等に用いることができる。
【符号の説明】
【００４８】
１、２、３、４  ＤＣ電圧出力部
５、６、９−１、９−２  ＡＣ電圧出力部
７  信号源
８  スイッチ
１０  シート給送部
２０  手差し給送部
３０  画像形成部
４０  シート排出部
５０  制御部
５１  ＣＰＵ
５２  メモリ
１０２  操作パネル
１０４  操作部
Ｃ１〜Ｃ５  コンデンサ
Ｒ１〜Ｒ１１  抵抗
【図１】
2017003718.tif 000003
【図２】
2017003718.tif 000004
【図４】
2017003718.tif 000005
【図５】
2017003718.tif 000006
【図６】
2017003718.tif 000007
【図７】
2017003718.tif 000008
【図３】
2017003718.tif 000009